(57)【要約】【課題】ウォーキング運動とともに、マッサージ効果を得る。【解決手段】床面に載置される基体１０と、該基体１０に上下に傾動可能に設けられかつ利用者の右足及び左足がそれぞれ載せられる一対のペダル１１Ａ、１１Ｂと、一方のペダル１１Ａの上方又は下方への傾動により他方のペダル１１Ｂを前記一方のペダル１１Ａと逆向きに傾動させる交互駆動手段１３とを有する足踏み式の運動具２、前記運動具２に取付けられかつ前記ペダル１１Ａ、１１Ｂの傾動により空気を送給しうるポンプ３、身体に装着される装着部４、及び前記装着部４に設けられるとともにホース８を介して前記ポンプ３と接続されしかも前記ポンプ３から送給される空気で膨張することにより身体を押圧する膨張体７を含む。【選択図】図１
2010012162.tif 000002
【特許請求の範囲】
【請求項１】
床面に載置される基体と、該基体に上下に傾動可能に設けられかつ利用者の右足及び左足がそれぞれ載せられる一対のペダルと、一方のペダルの上方又は下方への傾動により他方のペダルを前記一方のペダルと逆向きに傾動させる交互駆動手段とを有する足踏み式の運動具、
前記運動具に取付けられかつ前記ペダルの傾動により空気を送給しうるポンプ、
身体に装着される装着部、及び
前記装着部に設けられるとともにホースを介して前記ポンプと接続されしかも前記ポンプから送給される空気で膨張することにより身体を押圧する膨張体を含むことを特徴とする身体鍛錬装置。
【請求項２】
前記ポンプと前記膨張体との間に、前記膨張体の空気を予め定められた時間間隔で排気する排気弁を有する空気制御部を具える請求項１記載の身体鍛錬装置。
【請求項３】
前記排気弁は電磁弁からなり、前記空気制御部は、時間を計る計時部と、予め定めた時間の経過により前記電磁弁を開く制御部とを含む請求項２に記載の身体鍛錬装置。
【請求項４】
前記空気制御部は、前記ペダルの傾動回数に基づいて前記膨張体の空気を排気する請求項１に記載の身体鍛錬装置。
【請求項５】
前記ポンプは、シリンダ筒と、該シリンダ筒内を往復動するピストン付ロッドとを有するポンプからなり、前記シリンダ筒が運動具の基体又はペダルの一方に取り付けられ、かつ前記ピストン付ロッドが前記運動具の基体又はペダルの他方に取り付けられる請求項１ないし４の何れかに記載の身体鍛錬装置。
【請求項６】
前記ポンプは、ジャバラ状の伸縮筒状体を有し、前記ペダルの上方又は下方の傾動によって、前記伸縮筒状体を収縮して前記空気を送給する請求項１ないし４の何れかに記載の身体鍛錬装置。
【請求項７】
前記装着部は、身体の腰部及び／又は臀部に巻き付けられるベルト状であり、前記膨張体は、腹部、臀部及び／又は腰部の位置に設けられる請求項１ないし６のいずれかに記載の身体鍛錬装置。
【発明の詳細な説明】
【技術分野】
【０００１】
本発明は、ウォーキング運動とともに、マッサージ効果を得ることができる身体鍛錬装置に関する。
【背景技術】
【０００２】
近年、需要者の健康及び美容に対する意識の高まりから、様々な運動具が提案されている。例えば、利用者の足踏み動作に連動して交互に上下へ傾動する一対のペダルを設けた足踏み式の運動具が広く使用されている（例えば、特許文献１参照）。このような運動具は、室内等の比較的狭い屋内空間で手軽に歩行に近似した所謂ウォーキング運動ができる。従って、運動不足の解消に効果がある。
【０００３】
【特許文献１】実登３１１６５２５号公報
【発明の開示】
【発明が解決しようとする課題】
【０００４】
しかしながら、前記運動具は、ウォーキング運動に特化されているため、ウォーキング運動と同時に身体をマッサージ等することができる新たな機能の追加が望まれていた。
【０００５】
本発明は、以上のような実状に鑑み案出されたもので、利用者の右足及び左足がそれぞれ乗せられる一対のペダルを有する足踏み式の運動具に、ペダルの傾動により空気を送給しうるポンプと、該ポンプから送給される空気で膨張して身体を押圧する膨張体を含む装着部とを設けることを基本として、ウォーキング運動とともに、マッサージ効果を得ることができる身体鍛錬装置を提供することを主たる目的としている。
【課題を解決するための手段】
【０００６】
本発明のうち請求項１記載の発明は、床面に載置される基体と、該基体に上下に傾動可能に設けられかつ利用者の右足及び左足がそれぞれ載せられる一対のペダルと、一方のペダルの上方又は下方への傾動により他方のペダルを前記一方のペダルと逆向きに傾動させる交互駆動手段とを有する足踏み式の運動具、前記運動具に取付けられかつ前記ペダルの傾動により空気を送給しうるポンプ、身体に装着される装着部、及び前記装着部に設けられるとともにホースを介して前記ポンプと接続されしかも前記ポンプから送給される空気で膨張することにより身体を押圧する膨張体を含むことを特徴とする。
【０００７】
また請求項２記載の発明は、前記ポンプと前記膨張体との間に、前記膨張体の空気を予め定められた時間間隔で排気する排気弁を有する空気制御部を具える請求項１記載の身体鍛錬装置である。
【０００８】
また請求項３記載の発明は、前記排気弁は電磁弁からなり、前記空気制御部は、時間を計る計時部と、予め定めた時間の経過により前記電磁弁を開く制御部とを含む請求項２に記載の身体鍛錬装置である。
【０００９】
また請求項４記載の発明は、前記空気制御部は、前記ペダルの傾動回数に基づいて前記膨張体の空気を排気する請求項１に記載の身体鍛錬装置である。
【００１０】
また請求項５記載の発明は、前記ポンプは、シリンダ筒と、該シリンダ筒内を往復動するピストン付ロッドとを有するポンプからなり、前記シリンダ筒が運動具の基体又はペダルの一方に取り付けられ、かつ前記ピストン付ロッドが前記運動具の基体又はペダルの他方に取り付けられる請求項１ないし４の何れかに記載の身体鍛錬装置である。
【００１１】
また請求項６記載の発明は、前記ポンプは、ジャバラ状の伸縮筒状体を有し、前記ペダルの上方又は下方の傾動によって、前記伸縮筒状体を収縮して前記空気を送給する請求項１ないし４の何れかに記載の身体鍛錬装置である。
【００１２】
また請求項７記載の発明は、前記装着部は、身体の腰部及び／又は臀部に巻き付けられるベルト状であり、前記膨張体は、腹部、臀部及び／又は腰部の位置に設けられる請求項１ないし６のいずれかに記載の身体鍛錬装置である。
【発明の効果】
【００１３】
本発明の身体鍛錬装置は、足踏み式の運動具と身体を押圧する膨張体を有する装着部とを具えるので、利用者は、運動具を用いたウォーキング運動よって運動不足を解消しうると同時に、身体に装着した装着部の膨張体が膨張することによるマッサージ効果を得ることができる。また、身体鍛錬装置は、運動具のペダルの傾動によって、ポンプから膨張体へ空気が送給される。これにより、身体鍛錬装置は、電動機等を使用して膨張体へ空気を送給する必要がないため、その構造を簡素化及び小型化しうる。
【発明を実施するための最良の形態】
【００１４】
以下、本発明の実施の一形態が図面に基づき説明される。図１には本実施形態の身体鍛錬装置の全体図、図２にはその要部平面図、図３には図２の側面図が示される。
【００１５】
図１に示されるように、本実施形態の身体鍛錬装置１は、利用者の右足及び左足がそれぞれ載せられる一対のペダル１１を交互に上下に傾動させてウォーキング運動をすることができる足踏み式の運動具２と、一対のペダル１１の上下の傾動により空気を送給しうるポンプ３と、利用者の身体に装着される装着部４と、該装着部４に設けられるとともにポンプ３からホース８を介して送給される空気で膨張する膨張体７とが設けられる。また、本実施形態の身体鍛錬装置１には、ポンプ３と膨張体７との間に、該膨張体７の空気を予め定められた時間間隔で排気する空気制御部６が設けられる。
【００１６】
図２及び図３に示されるように、前記運動具２は、床面に載置される基体１０と、一対の前記ペダル１１と、各ペダル１１を逆向きに傾動させる交互駆動手段１３とを有する。
【００１７】
前記基体１０は、脚部１６と、運動具２の一端側Ｓ１で前記脚部１６に形成されるペダル支持部１７とから構成される。
【００１８】
前記脚部１６は、一端側Ｓ１で前記運動具２の幅方向にのびる第１の横枠１６Ａと、他端側Ｓ２で幅方向にのびる第２の横枠１６Ｂと、該第１、第２の横枠１６Ａ、１６Ｂ間を該運動具２の前後にのび、かつ幅方向の略中心で繋ぐ連結枠１６Ｃとからなり、平面視略エ字状に形成される。また、第１、第２の横枠１６Ａ、１６Ｂの各両端には、例えば滑り止め及び床面の傷付きを防止ぐ樹脂キャップ１８が設けられる。
【００１９】
図４に示されるように、前記ペダル支持部１７は、第１の横枠１６Ａの略中間位置から上方へ突出する支持枠体１７ａと、該支持枠体１７ａから運動具２の幅方向両側から上方に傾斜してのびる一対の支持軸１７ｂとから構成される。
【００２０】
前記支持枠体１７ａの上部には、例えば、ペダル１１の傾動回数を測定する歩数計２９が設けられる。該ペダル１１には、例えば、総傾動回数、総運動時間、一分間あたりの傾動回数及び消費カロリー等が表示される。また、前記支持軸１７ｂは、それぞれ円柱状に形成され、その軸芯を傾斜させて前記支持枠体１７ａに固着される。また、支持軸１７ｂの端部には、その軸芯上にネジ孔２０が設けられる。
【００２１】
一対の前記ペダル１１は、利用者の右足が載せられる一方のペダル１１Ａと、左足が乗せられる他方のペダル１１Ｂとから構成される。それぞれのペダル１１Ａ、１１Ｂは、前記ペダル支持部１７に傾動可能に支持されるペダル枠２５と、このペダル枠２５の上に固定され、利用者の右足又は左足がそれぞれ載せられるペダルカバー２６とから構成される。
【００２２】
前記ペダル枠２５は、支持軸１７ｂにそれぞれ外嵌され回動自在に支持される回動筒２７と、該回動筒２７から他端側Ｓ２側へのび、その上面にペダルカバー２６が固定されるペダル固定枠２８とからなる。
【００２３】
前記回動筒２７は、一方のペダル１１Ａ側に設けられる一方の回動筒２７Ａと、他方のペダル１１Ｂ側に設けられる他方の回動筒２７Ｂとを含む。各回動筒２７Ａ、２７Ｂは、筒状に形成され、支持軸１７ｂに例えば軸受（図示省略）等を介して外嵌される。また、各回動筒２７Ａ、２７Ｂは、それらの端部に固定具２４を介してネジ孔２０にボルト３０を螺合することによって支持軸１７ｂ、１７ｂに抜き止め固定される。各回動筒２７Ａ、２７Ｂは、その内周面が各支持軸１７ｂの外周面を摺動し、該回動筒２７Ａ、２７Ｂの中心線ＳＬ１、ＳＬ２を中心に回動可能に支持される。また、各回動筒２７Ａ、２７Ｂと支持軸１７ｂとの摺動面、固定具２４及び軸受には、例えばグリスなどの潤滑材が塗布されることが好ましい。
【００２４】
前記ペダル固定枠２８は、前記一方のペダル１１Ａ側に設けられる一方のペダル固定枠２８Ａと、前記他方のペダル１１Ｂ側に設けられる他方のペダル固定枠２８Ｂとを含む。図３に示されるように、各ペダル固定枠２８Ａ、２８Ｂの上面には、それぞれ前記ペダルカバー２６が載せられる。そして各ペダル固定枠２８Ａ、２８Ｂとペダルカバー２６とは、ネジ孔３３、３４に、ネジ３２を螺合することによって固定される。
【００２５】
また、各ペダル固定枠２８Ａ、２８Ｂの他端側Ｓ２には、それぞれ下方に突出するストッパ３５が設けられる。このストッパ３５は、各ペダル１１Ａ、１１Ｂが下方へ傾動した際に、前記第２の横枠１６Ｂの上面に当接し、各ペダル固定枠２８Ａ、２８Ｂが該第２の横枠１６Ｂ及び床面等に直接当接することを防ぐ。またストッパ３５は、例えばゴムなどの緩衝材から形成され、第２の横枠１６Ｂとの当接時の衝撃を和らげる。
【００２６】
次に、図３、図４に示されるように、本実施形態の交互駆動手段１３は、前記支持枠体１７ａの他端側Ｓ２で支持されるプーリ１９と、該プーリ１９に係合するワイヤー４３と、前記回動筒２７Ａ、２７Ｂの外周面から傾斜して下方へのびるとともに、端部が該ワイヤー４３に固定される一対の突出片３１とから構成される。
【００２７】
前記プーリ１９は、前記支持枠体１７ａの他端側Ｓ２に設けられたプーリ支持具２１に垂直軸回りに回転可能に支持される。このプーリ支持具２１は、前記支持枠体１７ａから他端側Ｓ２に、かつ運動具２の前後方向にのびる支持軸２１ａと、該支持軸２１ａから他端側Ｓ２へのびて形成されるブラケット２１ｂと、該ブラケット２１ｂに支持される垂直軸２１ｃとから構成される。支持軸２１ａは、支持枠体１７ａの一端側Ｓ１に設けられるハンドル２３の回転により、支持枠体１７ａからの出没量が調整される。
【００２８】
前記突出片３１は、前記一方の回動筒２７Ａに設けられる一方の突出片３１Ａと、前記他方の回動筒２７Ｂに設けられる他方の突出片３１Ｂとに区分される。前記各突出片３１Ａ、３１Ｂは、例えば回動筒２７Ａ、２７Ｂの外周面に溶接等で固着される。
【００２９】
本実施形態の前記ワイヤー４３は、スチールなどの金属製のコードから構成される。ワイヤー４３は、前記プーリ１９の他端側Ｓ２に巻掛けられる。また、ワイヤー４３の端部は、それぞれアイ状又はループ状に形成され、プーリ１９の回転中心よりも前側に位置する各突出片３１Ａ、３１Ｂの端部に設けられた孔部に、ボルト及びナット等によって固定される。なお、ワイヤー４３は、前記ハンドル２３の回転による前記支持軸２１ａの伸縮により、その張りが調整される。
【００３０】
図６には、交互駆動手段１３の作用が示される。
図６（ａ）には、各ペダル固定枠２８Ａ、２８Ｂが垂直方向に同一高さの状態を示す。この状態から、図６（ｂ）に示されるように、一方のペダル固定枠２８Ａを下方へ傾動させる。これにより、一方の回動筒２７Ａは、中心線ＳＬ１を中心に回動し、一方の突出片３１Ａがワイヤー４３を一端側Ｓ１へ引張る。引張られたワイヤー４３は、プーリ１９を介して他方の突出片３１Ｂを他端側Ｓ２へ引張り、他方の回動筒２７Ｂを中心線ＳＬ２を中心に回動させ、他方のペダル固定枠２８Ｂを上方へと傾動させる。
【００３１】
また、図６（ｃ）に示されるように、他方のペダル固定枠２８Ｂを下方へ傾動させると、他方の回動筒２７Ｂの回動よって、他方の突出片３１Ｂは、ワイヤー４３を一端側Ｓ１へ引張る。また、引張られたワイヤー４３は、プーリ１９を介して、一方の突出片３１Ａを他端側Ｓ２へ引張り、一方の回動筒２７Ａを回動させて、前記一方のペダル固定枠２８Ａを上方へ傾動させる。
【００３２】
このように、交互駆動手段１３は、一方のペダル固定枠２８Ａの上方又は下方への傾動により他方のペダル固定枠２８Ｂを前記一方のペダル固定枠２８Ａと逆向きに傾動させることができる。従って、交互駆動手段１３は、各ペダル１１Ａ、１１Ｂを逆向きに傾動させることができる。
【００３３】
また、各ペダル１１Ａ、１１Ｂの傾動軸となる支持軸１７ｂ（図４に示す）の中心線ＳＬ１、ＳＬ２は、水平ではなく斜めに傾斜してのびる。これにより、図７（ａ）に示されるように、前記一方のペダル１１Ａが下方へ傾動されると、一方のペダル１１Ａ及び他方のペダル１１Ｂは、いずれも傾動しつつ右方向に旋回する。また、図７（ｂ）に示されるように、前記他方のペダル１１Ｂが下方へ傾動されると、該他方のペダル１１Ｂ及び一方のペダル１１Ａが図において左方へ旋回する。このように、前記各ペダル１１Ａ、１１Ｂは、左右交互の足踏み運動とともに、左右に旋回しうるので、利用者は、ウォーキング運動とともに、左右のひねりが加わったストレッチ運動をすることができる。
【００３４】
図２及び図５に示されるように、ペダル固定枠２８と、第１の横枠１６Ａとの間には、ペダル１１の傾動に抵抗を与え得るガスダンパー３６が配される。このガスダンパー３６は、シリンダー部３６ａと、該シリンダー部３６ａ内を抵抗を有して伸縮するロッド部３６ｂとから構成される。
【００３５】
前記シリンダー部３６ａの端部は、第１の横枠１６Ａに設けられるブラケット３７Ａに軸３８にて水平軸回りで回動可能なジョイント部４５に、略垂直方向に回動可能に枢着されている。これにより、シリンダー部３６ａの端部は、略垂直軸回りで及び水平軸回りに回動可能に基体１０に連結される。また前記ロッド部３６ｂの端部は、前記ペダル固定枠２８に設けられるブラケット３７Ｂに、ボルト４１及びナット４２によって水平軸回りに回動可能に連結される。
【００３６】
前記ガスダンパー３６は、各ペダル１１Ａ、１１Ｂが上下の傾動時に、該ペダル１１Ａ、１１Ｂとともに左右に旋回するが、前記ジョイント部４５による略垂直軸回りの回動によって、その旋回が許容される。ガスダンパー３６は、利用者が各ペダル１１Ａ、１１Ｂを踏み下ろす際に適度な負荷を与えるとともに、該ペダル１１Ａ、１１Ｂをスムーズに傾動させる。
【００３７】
図２、図３に示されるように、本実施形態のポンプ３は、シリンダ筒４６と、該シリンダ筒４６内を往復動するピストン付ロッド４７とを有する空気ポンプからなり、前記各ペダルカバー２６の下方かつガスダンパー３６と略平行にそれぞれ設けられる。シリンダ筒４６の端部には、例えばポンプ３によって発生した空気を前記ホース８へ送給する空気送給口４８と、ポンプ３内の空気圧を図る空気圧計４９と、該空気圧計４９の下方で筒状に形成される軸受部５０（図５に示す）とが設けられる。また、ピストン付ロッド４７の端部には、前記軸３８（図５に示す）に係止されるフック５１が設けられる。
【００３８】
図５に示されるように、前記軸受部５０は、前記ガスダンパー３６との離間距離を維持する調整ナット５３を前記ボルト４１の前記軸４１ａに螺合した後に、該軸４１ａに挿入される。その後、軸受部５０は、ナット５４が軸４１ａに螺合されることによって、ボルト４１に水平軸回りに回動可能に支持される。
【００３９】
また、前記フック５１は、前記軸３８に挿入された後、ナット５５を螺合されることによって、水平軸回りに回動可能に支持される。フック５１は、軸３８に遊嵌されるため、スペーサー４０とナット５５との間で運動具２の幅方向へ揺動できる。前記ポンプ３は、各ペダル１１Ａ、１１Ｂとともに旋回するが、このフック５１の揺動によって、該ポンプ３の旋回が許容される。
【００４０】
前記ポンプ３は、各ナット５３、５４、５５のみで固定できるため、比較的容易に取付け及び取り外しができる。また、各ナット５３、５４、５５は、工具等を使用せずに、取付け及び取外しができる蝶ナット等に変更してもよい。
【００４１】
図８（ａ）、（ｂ）に示すように、前記シリンダ筒４６は、前記ペダル１１が上方へ傾動されると引き上げられ、ペダル１１が下方へ傾動されると引き下げられる。これにより、前記ピストン付ロッド４７は、ペダル１１の上下の傾動によってシリンダ筒４６内を往復動し、前記空気送給口４８から空気を圧送しうる。
【００４２】
なお、本実施形態の前記ポンプ３は、各ペダル１１Ａ、１１Ｂに１つずつ設けられているが、例えば、何れか一方のみに設けられてもよい。また、ポンプ３は、各ペダル１１Ａ、１１Ｂにそれぞれ複数設けられてもよい。
【００４３】
図９及び図１０に示されるように、本実施形態の装着部４は、例えば使用者の身体の腰部及び／又は臀部に巻き付けられるベルト状に形成される。装着部４は、例えば、比較的柔軟なウレタン等によって形成されてもよい。装着部４の一端又は両端には、面ファスナやボタン等の固着材６１が設けられ、胴回り等に応じて任意の位置に該装着部４を巻付け固定できる。
【００４４】
前記膨張体７は、装着部４の内部に配される。本実施形態において、膨張体７は、装着部４が利用者の身体に巻きつけられた状態において、利用者の腹部の位置に設けられる腹部膨張体７ａと、臀部の位置に設けられる臀部膨張体７ｂと、腰部に設けられる腰部膨張体７ｃとを含んで構成される。また、本実施形態では、利用者の側腹部の位置に側腹部膨張体７ｄがさらに設けられる。各膨張体７ａ、７ｂ、７ｃ、７ｄには、前記ホース８が接続される空気分岐部６２からそれぞれ空気を通過させる空気管６３が接続される。これにより、各膨張体７ａ、７ｂ、７ｃ、７ｄは、ホース８から供給される空気により膨張することができる。
【００４５】
本実施形態では、空気制御部６が、ポンプ３、３と膨張体７との間を接続するホース８に介在するように設けられる。図１１に示されるように、空気制御部６は、該空気制御部６の電源をＯＮ／ＯＦＦする電源ボタン６５と、その電源のＯＮ／ＯＦＦの状態を表示する電源表示部６６と、各膨張体７ａ、７ｂ、７ｃ、７ｄによるマッサージ圧の強さを選択する強弱ボタン６７と、選択されたマッサージ圧の強さを表示する強弱表示部６８とを有するケース６４に覆われる。空気制御部６の設置場所は、図示の態様に限定されるものではなく、例えば前記連結枠１６Ｃの上面等に取付けられてもよい。
【００４６】
図１２に示されるように、本実施形態の空気制御部６は、電磁弁からなる排気弁７０と、時間を計る計時部７１と、予め定められた時間間隔で前記排気弁７０を開く制御部７２とを含んで構成される。また、空気制御部６には、前記強弱ボタン６７によって選択出力されるシグナルＳＷ１〜ＳＷ５に対応する時間データが記憶される記憶部７３が設けられる。該時間データとしては、例えば、ＳＷ１〜ＳＷ５にそれぞれ１０秒、２０秒、３０秒、４０秒及び５０秒というように、徐々に増加する時間を設定できる。
【００４７】
本実施形態の前記排気弁７０は、ソレノイドによる電磁力でプランジャ（図示省略）を引き付けることによって弁が開かれる電磁弁が用いられる。また、プランジャは、弁を常時閉じる方向に付勢される。従って、ソレノイドが励磁されていない間、弁は、付勢力によって排気ポート（図示省略）を閉じる。
【００４８】
前記制御部７２は、前記電源ボタン６５のＯＮ／ＯＦＦによって、起動又は停止する。また、制御部７２には、前記シグナルＳＷ１〜ＳＷ５が、前記強弱ボタン６７の押下の回数によって順に切り替わって入力される。制御部７２は、そのシグナルＳＷ１〜ＳＷ５に対応する時間データを、記憶部７３からロードする。また、制御部７２は、記憶部７３からロードされた時間データに対応する時間を計時部７１で計り、その時間が経過すると前記ソレノイドを励磁する。ソレノイドは、前記プランジャを引き付けて弁を開き、空気を大気中に排気する。
【００４９】
また、前記制御部７２は、一定時間経過後にソレノイドへの励磁を切ることによって、弁を閉じる。このように、制御部７２は、一定の時間が経過する毎に所定時間、弁を開く動作を繰り返し行なわせる。
【００５０】
以上のように構成された、本実施形態の身体鍛錬装置１の作用について説明する。
図１３に示されるように、利用者は、両足を前記運動具２の各ペダル１１Ａ、１１Ｂに載せる。また各膨張体７ａ、７ｂ、７ｃ、７ｄが身体の腹部、臀部、腰部、側腹部の位置に当接するように装着部４を自身に装着する。しかる後、各ペダル１１Ａ、１１Ｂを交互にかつ上下に傾動させるウォーキング運動を開始すると、ポンプ３から空気がホース８へと圧送される。
【００５１】
空気制御部６に電源が入っていない場合、ポンプ３からの空気は、前記ホース８を介して排気弁７０が閉じている空気制御部６を通過し、空気分岐部６２から空気管６３を介して、各膨張体７を膨張させる。
【００５２】
膨張した膨張体７は、装着部４によって、利用者の腹部、臀部、腰部に押付けられ、いわゆる指圧に近似したマッサージ効果を与える。膨張体７は、利用者によるウォーキング運動が継続されることによって、より大きく膨らみ、さらに強いマッサージ効果を与える。なお、膨張体７に、一定以上の圧力に達すると、内部の空気を逃がす逃がし弁（図示省略）を設けてもよい。これによって、膨張体７の膨張を一定範囲に抑制することもできる。このように、利用者は、ウォーキング運動とともに、マッサージ効果を得ることができる。
【００５３】
前記腹部膨張体７ａは、膨張によって腹部を圧迫し、マッサージ効果を与える他、内臓機能の促進や腹部のシェープアップ等に役立つ。また、前記臀部膨張体７ｂは、臀部を押し上げるように膨張することによって、骨盤矯正や、ヒップアップ等に役立つ。また、前記腰部膨張体７ｃは、腰痛の緩和等に役立つ。前記側腹部膨張体７ｄは、側腹部をマッサージできる他、装着部４と身体との間の隙間を埋めて、膨張体７によるマッサージ効果を向上させる点で好ましい。
【００５４】
次に、前記空気制御部６を使用する場合、利用者は、図１１に示す空気制御部６の前記電源ボタン６５を押下し、該空気制御部６を起動する。また、利用者は、前記強弱ボタン６７を押下し、前記膨張体７のマッサージ圧の強さを選択する。
【００５５】
利用者は、前記運動具２でウォーキング運動を開始すると、前記ポンプ３から空気が排出される。前記空気制御部６は、前記強弱ボタン６７によって選択された時間データの時間が経過するまで前記排気弁７０を閉じ、ポンプ３からの空気を通過させて前記膨張体７を膨張させる。膨張体７は、排気弁７０が閉じられている間、継続的に空気が送給されることによって更に大きく膨らみ、強いマッサージ効果を与える。
【００５６】
前記空気制御部６は、前記時間データの時間が経過すると排気弁７０を開き、前記膨張体７の空気を排気させる。膨張体７は、空気の排気によって収縮し、マッサージ効果が中断される。空気制御部６は、一定時間経過後に排気弁７０を閉じ、時間データの時間が経過するまで膨張体７に空気が送給される。膨張体７は、再び膨張し、マッサージ効果を与える。このように、膨張体７は、前記空気制御部６によって、膨張及び収縮が繰り返され、間欠的にマッサージ効果を与えることができる。また、空気制御部６は、時間データの時間の長さが異なることにより、膨張体７の膨張する大きさを異ならせることができるので、マッサージ圧に強弱を与えることができる。例えば、ウォーキング運動のテンポが早い利用者は、すぐに膨張体７を膨らますことができるので、前記強弱ボタン６７により空気が排出される時間間隔を短く設定してマッサージ効果を抑えるのが良い。逆に、ウォーキング運動のテンポが遅い利用者では、膨張体７を膨らますのに時間を要するので、強弱ボタン６７により、比較的長めの時間間隔を設定すれば、マッサージ効果損ねることがない。このように、本実施形態の身体鍛錬装置１は、利用者の体力に合わせてマッサージ効果の強弱を調整しうる。
【００５７】
以上説明したように、身体鍛錬装置１は、足踏み式の前記運動具２と身体を押圧する前記膨張体７を有する前記装着部４とを具えるので、利用者は、運動具２を用いたウォーキング運動よって運動不足を解消しうると同時に、身体に装着した装着部４の膨張体７によるマッサージ効果を得ることができる。また、身体鍛錬装置１は、運動具２のペダルの傾動によって、ポンプ３から膨張体７へ空気が送給される。これにより、身体鍛錬装置１は、電動機等を使用して膨張体７へ空気を送給する必要がないため、その構造を簡素化及び小型化しうる。
【００５８】
また、身体鍛錬装置１は、ポンプ３と膨張体７との間に、空気制御部６を具えるときには、膨張体７が膨張と収縮とを繰り返すことができ、間欠的にマッサージ効果を与えることができる。また、膨張体７は、空気制御部６によって、空気が排気される時間間隔が設定されることにより膨張量が調節され、利用者の体力や好みにあったマッサージ圧の強さを選択できる。
【００５９】
なお、本実施形態の空気制御部６は、予め定められた時間の経過によって膨張体７の空気を排気するが、このような実施形態に限られるわけでない。例えば、前記ペダル１１Ａ、１１Ｂの傾動回数を計数し、その回数に基づいて膨張体７の空気を排気するようにしてもよい。この場合、空気制御部６は、例えば、前記記憶部７３に複数の傾動回数データが格納され、前記制御部７２は、選択された傾動回数データと、前記歩数計２９で測定される傾動回数とが一致することによって、排気弁７０を開くように変更することができる。
【００６０】
また、本実施形態の身体鍛錬装置１では、一人の利用者が前記運動具２でウォーキング運動をするとともに、前記装着部４を身体に装着してマッサージ効果を得る例を示したが、このような使用態様に限定されるわけではない。例えば、一方の利用者が、運動具２でウォーキング運動をし、他方の利用者が装着部４を身体に装着してマッサージ効果を得る等の使用もできる。また、利用者は、装着部４によるマッサージが不要である場合に、身体鍛錬装置１から前記ポンプ３を取り外して、運動具２を単独で使用することもできる。
【００６１】
また、図１４に示されるように、前記ポンプ３は、本実施形態に限定されるものではなく、例えば、前記ペダル１１の上下の傾動により、ジャバラ状の伸縮筒状体５８を圧縮させて空気を送給するジャバラポンプ５７が採用されてもよい。
【００６２】
以上、本発明の特に好ましい形態について詳述したが、本発明は図示の実施形態に限定されることなく、種々の態様に変形して実施し得る。
【図面の簡単な説明】
【００６３】
【図１】本実施形態の身体鍛錬装置の全体図である。
【図２】その要部平面図である。
【図３】図２の側面図である。
【図４】図２の正面図である。
【図５】図２の背面図である。
【図６】（ａ）各ペダル固定枠が垂直方向に同一高さとなる状態を示す部分斜視図、（ｂ）一方のペダル固定枠を下方へ傾動された状態を示す部分斜視図、（ｃ）他方のペダル固定枠を下方へ傾動された状態を示す部分斜視図である。
【図７】（ａ）一方のペダルが下方へ傾動された状態を示す平面図、（ｂ）他方のペダルが下方へ傾動された状態を示す平面図である。
【図８】（ａ）シリンダ筒が引き上げられた状態を示す側面図、（ｂ）シリンダ筒が引き下げられた状態を示す側面図である。
【図９】本実施形態の装着部を示す平面図である。
【図１０】（ａ）装着部が利用者に装着された状態を示す正面図、（ｂ）その背面図である。
【図１１】空気制御部のケースを示す平面図である。
【図１２】空気制御部の概念図である。
【図１３】利用者が身体鍛錬装置を利用している状態を示す側面図である。
【図１４】他の実施形態のポンプを示す側面図である。
【符号の説明】
【００６４】
２      運動具
３      ポンプ
４      装着部
７      膨張体
８      ホース
１０      基体
１１Ａ    一方のペダル
１１Ｂ    他方のペダル
１３      交互駆動手段
【図１】
2010012162.tif 000003
【図２】
2010012162.tif 000004
【図３】
2010012162.tif 000005
【図４】
2010012162.tif 000006
【図５】
2010012162.tif 000007
【図６】
2010012162.tif 000008
【図７】
2010012162.tif 000009
【図８】
2010012162.tif 000010
【図９】
2010012162.tif 000011
【図１０】
2010012162.tif 000012
【図１１】
2010012162.tif 000013
【図１２】
2010012162.tif 000014
【図１３】
2010012162.tif 000015
【図１４】
2010012162.tif 000016